(57)【要約】      （修正有）【課題】複数の固体電解コンデンサ素子が集約され、レイアウトの自由度が高いコンデンサアレイを提供する。【解決手段】コンデンサアレイ１は、１枚の固体電解コンデンサシートが分割されてなる複数の固体電解コンデンサ素子１０Ａ、１０Ｂ、１０Ｃと、シート状の第１封止層１１と、第２封止層１２とを備える。固体電解コンデンサシートは、弁作用金属からなる陽極板２１と、陽極板の少なくとも一方の主面に設けられた多孔質層２２と、多孔質層の表面に順に設けられた誘電体層２３と、固体電解質層２４ａを含む陰極層２４とを備え、厚み方向に相対する第１主面及び第２主面を有する。複数の固体電解コンデンサ素子は、それぞれの第１主面側が第１封止層上に配置されている。第２封止層は、複数の固体電解コンデンサ素子を第２主面側から覆うように配置されている。各固体電解コンデンサ素子はスリット状のシート除去部によって分割されている。【選択図】図１
2020167361.tif 000002
【特許請求の範囲】
【請求項１】
１枚の固体電解コンデンサシートが分割されてなる複数の固体電解コンデンサ素子と、
シート状の第１封止層と、
シート状の第２封止層とを備え、
前記固体電解コンデンサシートは、弁作用金属からなる陽極板と、前記陽極板の少なくとも一方の主面に設けられた多孔質層と、前記多孔質層の表面に設けられた誘電体層と、前記誘電体層の表面に設けられた固体電解質層を含む陰極層とを備え、厚み方向に相対する第１主面及び第２主面を有し、
前記複数の固体電解コンデンサ素子は、それぞれの前記第１主面側が前記第１封止層上に配置されており、
前記第２封止層は、前記第１封止層上の前記複数の固体電解コンデンサ素子を前記第２主面側から覆うように配置されており、
前記固体電解コンデンサ素子間がスリット状のシート除去部によって分割されている、コンデンサアレイ。
【請求項２】
前記第２封止層の底面から各々の前記固体電解コンデンサ素子の前記陽極板までの距離が一定である、請求項１に記載のコンデンサアレイ。
【請求項３】
前記シート除去部の延伸上に少なくとも１つの固体電解コンデンサ素子が配置されている、請求項１又は２に記載のコンデンサアレイ。
【請求項４】
前記シート除去部の幅は、１５μｍ以上、５００μｍ以下である、請求項１〜３のいずれか１項に記載のコンデンサアレイ。
【請求項５】
前記シート除去部の幅は、２００μｍ以下である、請求項４に記載のコンデンサアレイ。
【請求項６】
前記シート除去部の長さ／幅の比率であるアスペクト比は、１０以上である、請求項１〜５のいずれか１項に記載のコンデンサアレイ。
【請求項７】
前記シート除去部の少なくとも一部は、コンデンサアレイ全体に掛からないように配置されている、請求項１〜６のいずれか１項に記載のコンデンサアレイ。
【請求項８】
前記シート除去部は、前記固体電解コンデンサ素子の一方の主面から他方の主面に向かって幅が小さくなるテーパーを有する、請求項１〜７のいずれか１項に記載のコンデンサアレイ。
【請求項９】
前記多孔質層は、前記陽極板の両方の主面に設けられており、
前記テーパーは、前記固体電解コンデンサ素子の他方の主面側の前記多孔質層には達していない、請求項８に記載のコンデンサアレイ。
【請求項１０】
前記複数の固体電解コンデンサ素子は、容量部の面積が異なる２種以上の固体電解コンデンサ素子を含む、請求項１〜９のいずれか１項に記載のコンデンサアレイ。
【請求項１１】
前記複数の固体電解コンデンサ素子は、容量部の平面形状が矩形ではない固体電解コンデンサ素子を含む、請求項１〜１０のいずれか１項に記載のコンデンサアレイ。
【請求項１２】
前記固体電解コンデンサ素子と前記第１封止層又は前記第２封止層との間に、応力緩和層をさらに備える、請求項１〜１１のいずれか１項に記載のコンデンサアレイ。
【請求項１３】
前記応力緩和層は、前記シート除去部内にも設けられている、請求項１２に記載のコンデンサアレイ。
【請求項１４】
前記応力緩和層は、絶縁性樹脂から構成される、請求項１２又は１３に記載のコンデンサアレイ。
【請求項１５】
前記応力緩和層は、前記第１封止層及び前記第２封止層の少なくとも一方よりも透湿性が低い、請求項１２〜１４のいずれか１項に記載のコンデンサアレイ。
【請求項１６】
請求項１〜１５のいずれか１項に記載のコンデンサアレイと、
前記コンデンサアレイの前記第１封止層又は前記第２封止層の外側に設けられ、前記コンデンサアレイの前記陽極板及び前記陰極層のそれぞれと接続された外部電極と、
前記外部電極と接続された電子部品とを備える、複合電子部品。
【発明の詳細な説明】
【技術分野】
【０００１】
本発明は、コンデンサアレイ、及び、複合電子部品に関する。
【背景技術】
【０００２】
特許文献１には、複数のコンデンサ素子からなるコンデンサ素子群と、このコンデンサ素子群の上記コンデンサ素子の１又は２以上の陽極導出線のそれぞれに接続されて引き出された１又は２以上の陽極端子と、上記コンデンサ素子の陰極層に接続されて引き出された１又は２以上の陰極端子と、上記コンデンサ素子を被覆する外装樹脂層と、を備え、上記陽極端子及び上記陰極端子を外部端子として構成したことを特徴とする固体電解コンデンサアレイが開示されている。
【先行技術文献】
【特許文献】
【０００３】
【特許文献１】特開２００４−２８１７５０号公報
【発明の概要】
【発明が解決しようとする課題】
【０００４】
特許文献１によれば、複数のコンデンサ素子を陽極端子及び陰極端子に接続してアレイ構造とすることで、低ＥＳＲ（等価直列抵抗）及び低ＥＳＬ（等価直列インダクタンス）を実現し、かつ高周波特性に優れた固体電解コンデンサアレイを容易に製造することができるとされている。
【０００５】
しかし、特許文献１に記載されている方法を用いて複数のコンデンサ素子をアレイ状にする場合、予め形成されたコンデンサ素子同士を接続する必要があるため、製造プロセスが煩雑になりやすい、コンデンサアレイ全体の体積容量密度が低い、等の問題がある。そのため、高周波化に対する性能として最適であるとは言えない。
【０００６】
本発明は上記の問題を解決するためになされたものであり、複数の固体電解コンデンサ素子が１つに集約され、レイアウトの自由度が高いコンデンサアレイを提供することを目的とする。本発明はまた、上記コンデンサアレイの外部電極上に電子部品が実装された複合電子部品を提供することを目的とする。
【課題を解決するための手段】
【０００７】
本発明のコンデンサアレイは、１枚の固体電解コンデンサシートが分割されてなる複数の固体電解コンデンサ素子と、シート状の第１封止層と、シート状の第２封止層とを備える。上記固体電解コンデンサシートは、弁作用金属からなる陽極板と、上記陽極板の少なくとも一方の主面に設けられた多孔質層と、上記多孔質層の表面に設けられた誘電体層と、上記誘電体層の表面に設けられた固体電解質層を含む陰極層とを備え、厚み方向に相対する第１主面及び第２主面を有する。上記複数の固体電解コンデンサ素子は、それぞれの上記第１主面側が上記第１封止層上に配置されている。上記第２封止層は、上記第１封止層上の上記複数の固体電解コンデンサ素子を上記第２主面側から覆うように配置されている。上記固体電解コンデンサ素子間がスリット状のシート除去部によって分割されている。
【０００８】
本発明の複合電子部品は、本発明のコンデンサアレイと、上記コンデンサアレイの上記第１封止層又は上記第２封止層の外側に設けられ、上記コンデンサアレイの上記陽極板及び上記陰極層のそれぞれと接続された外部電極と、上記外部電極と接続された電子部品とを備える。
【発明の効果】
【０００９】
本発明によれば、複数の固体電解コンデンサ素子が１つに集約され、レイアウトの自由度が高いコンデンサアレイを提供することができる。
【図面の簡単な説明】
【００１０】
【図１】図１は、本発明のコンデンサアレイの一例を模式的に示す断面図である。
【図２】図２は、シート除去部の別の一例を模式的に示す拡大断面図である。
【図３】図３Ａは、化成箔を準備する工程の一例を模式的に示す斜視図であり、図３Ｂは、その断面図である。
【図４】図４Ａは、絶縁層を形成する工程の一例を模式的に示す斜視図であり、図４Ｂは、その断面図である。
【図５】図５は、貫通孔を形成する工程の一例を模式的に示す斜視図である。
【図６】図６Ａは、固体電解質層を形成する工程の一例を模式的に示す斜視図であり、図６Ｂは、その断面図である。
【図７】図７Ａは、カーボン層を形成する工程の一例を模式的に示す斜視図であり、図７Ｂは、その断面図である。
【図８】図８Ａは、銅層を形成する工程の一例を模式的に示す斜視図であり、図８Ｂは、その断面図である。
【図９】図９Ａは、第１封止層を配置する工程の一例を模式的に示す斜視図であり、図９Ｂは、その断面図である。
【図１０】図１０Ａは、固体電解コンデンサシートを切断する工程の一例を模式的に示す斜視図であり、図１０Ｂは、その断面図である。
【図１１】図１１は、固体電解コンデンサ素子とは異なる種類のコンデンサ素子を配置する工程の一例を模式的に示す斜視図である。
【図１２】図１２Ａは、第２封止層を配置する工程の一例を模式的に示す斜視図であり、図１２Ｂは、その断面図である。
【図１３】図１３Ａは、複数のコンデンサアレイに分割する工程の一例を模式的に示す斜視図であり、図１３Ｂは、その断面図である。
【図１４】図１４は、陽極外部電極を形成する工程の一例を模式的に示す斜視図である。
【図１５】図１５は、陰極外部電極を形成する工程の一例を模式的に示す斜視図である。
【図１６】図１６は、陰極外部電極を形成する工程の別の一例を模式的に示す斜視図である。
【図１７】図１７は、貫通孔の機能を説明するための図１５の透過図である。
【図１８】図１８は、貫通孔の機能を説明するための図１６の透過図である。
【図１９】図１９Ａは、陽極及び陰極の構造の第１の変形例を第２封止層側から見た投影平面図であり、図１９Ｂは、図１９Ａのｂ−ｂ線に沿った投影断面図である。
【図２０】図２０Ａは、陽極及び陰極の構造の第２の変形例を第２封止層側から見た投影平面図であり、図２０Ｂは、図２０Ａのｂ−ｂ線に沿った投影断面図である。
【図２１】図２１Ａは、陽極及び陰極の構造の第３の変形例を第２封止層側から見た投影平面図であり、図２１Ｂは、図２１Ａのｂ−ｂ線に沿った投影断面図である。
【図２２】図２２Ａは、陽極及び陰極の構造の第４の変形例を第２封止層側から見た投影平面図であり、図２２Ｂは、図２２Ａのｂ−ｂ線に沿った投影断面図である。
【図２３】図２３は、固体電解コンデンサシートを切断する工程の別の一例を模式的に示す斜視図である。
【図２４】図２４は、平面形状が矩形ではない容量部の一例を模式的に示す平面図である。
【図２５】図２５は、応力緩和層を備えるコンデンサアレイの一例を模式的に示す断面図である。
【図２６】図２６は、図２５に示すコンデンサアレイを製造するための固体電解コンデンサシートの一例を模式的に示す斜視図である。
【図２７】図２７は、応力緩和層を備えるコンデンサアレイの別の一例を模式的に示す断面図である。
【図２８】図２８は、図２７に示すコンデンサアレイを製造するための固体電解コンデンサシートの一例を模式的に示す斜視図である。
【図２９】図２９は、応力緩和層を備えるコンデンサアレイのさらに別の一例を模式的に示す断面図である。
【図３０】図３０は、図２９に示すコンデンサアレイを製造するための固体電解コンデンサシートの一例を模式的に示す斜視図である。
【発明を実施するための形態】
【００１１】
以下、本発明のコンデンサアレイ、及び、複合電子部品について説明する。
しかしながら、本発明は、以下の構成に限定されるものではなく、本発明の要旨を変更しない範囲において適宜変更して適用することができる。なお、以下において記載する本発明の個々の望ましい構成を２つ以上組み合わせたものもまた本発明である。
【００１２】
［コンデンサアレイ］
本発明のコンデンサアレイは、複数の固体電解コンデンサ素子と、シート状の第１封止層と、シート状の第２封止層とを備える。複数の固体電解コンデンサ素子は、それぞれの第１主面側が第１封止層上に配置されており、第２封止層は、第１封止層上の複数の固体電解コンデンサ素子を第２主面側から覆うように配置されている。
【００１３】
本発明のコンデンサアレイでは、複数の固体電解コンデンサ素子が元々１枚の固体電解コンデンサシートであり、固体電解コンデンサ素子間がスリット状のシート除去部によって分割されていることを特徴としている。
【００１４】
１枚のシートから複数の固体電解コンデンサ素子を一括して形成することで、レイアウトの自由度が高いコンデンサアレイを安価に製造することができる。したがって、中央処理装置（ＣＰＵ）やパワーマネージメントＩＣ（ＰＭＩＣ）など個々のアプリケーションごとに異なる配線経路に柔軟に対応することができる。
【００１５】
また、固体電解コンデンサ素子を分割する際のサイズを変えることで、コンデンサアレイ内に特性の異なる固体電解コンデンサ素子を配置することができる。これにより、並列接続した際に広帯域の特性インピーダンスを合わせることができる。
【００１６】
本発明のコンデンサアレイにおいて、第１封止層及び第２封止層とは、エポキシ樹脂やフェノール樹脂などの封止樹脂を含む層である。これらの封止層によりコンデンサアレイの形成時及び熱ストレス負荷時に素子部へ応力が掛からないように、封止層のガラス転移温度Ｔｇや弾性率をコントロールする必要がある。具体的には、アルミナ、シリカなどの無機フィラーが高充填されたものであることが好ましい。
【００１７】
図１は、本発明のコンデンサアレイの一例を模式的に示す断面図である。
図１に示すコンデンサアレイ１は、複数の固体電解コンデンサ素子１０Ａ、１０Ｂ及び１０Ｃと、シート状の第１封止層１１と、シート状の第２封止層１２とを備えている。固体電解コンデンサ素子１０Ａは、厚み方向（図１では上下方向）に相対する第１主面Ｓ１及び第２主面Ｓ２を有し、第１主面Ｓ１側が第１封止層１１上に配置されている。固体電解コンデンサ素子１０Ｂ及び１０Ｃも同様である。第２封止層１２は、第１封止層１１上の複数の固体電解コンデンサ素子１０Ａ、１０Ｂ及び１０Ｃを第２主面Ｓ２側から覆うように配置されている。したがって、図１に示すコンデンサアレイ１は、全体としてシート状の形状を有している。
【００１８】
図１に示すコンデンサアレイ１において、固体電解コンデンサ素子１０Ａは、陽極板２１と、陽極板２１の少なくとも一方の主面に設けられた多孔質層２２と、多孔質層２２の表面に設けられた誘電体層２３と、誘電体層２３の表面に設けられた陰極層２４とを備えている。図１では、陰極層２４は、誘電体層２３の表面に設けられた固体電解質層２４ａと、固体電解質層２４ａの表面に設けられたカーボン層２４ｂと、カーボン層２４ｂの表面に設けられた銅層２４ｃとを含む。図１では、陽極板２１の両方の主面に多孔質層２２及び誘電体層２３が設けられ、第２主面Ｓ２側にのみ陰極層２４が設けられているが、第１主面Ｓ１側にのみ陰極層２４が設けられていてもよいし、第１主面Ｓ１側及び第２主面Ｓ２側の両方に陰極層２４が設けられていてもよい。また、多孔質層２２は、陽極板２１の両方の主面に設けられていてもよいし、いずれか一方の主面に設けられていてもよい。固体電解コンデンサ素子１０Ｂ及び１０Ｃも同様である。
【００１９】
固体電解コンデンサ素子１０Ａ、１０Ｂ及び１０Ｃは、元々１枚の固体電解コンデンサシート１００（図８Ａ及び図８Ｂ等参照）である。固体電解コンデンサ素子１０Ａと固体電解コンデンサ素子１０Ｂとの間、及び、固体電解コンデンサ素子１０Ｂと固体電解コンデンサ素子１０Ｃとの間は、スリット状のシート除去部２５によって分割されている。したがって、固体電解コンデンサ素子１０Ａ、１０Ｂ及び１０Ｃの構成は、それぞれ同じである。また、第２封止層１２の底面から各々の固体電解コンデンサ素子１０Ａ、１０Ｂ及び１０Ｃの陽極板２１までの距離は一定である。
【００２０】
図１に示すように、第１封止層１１側に向かって、第２封止層１２が、第１封止層１１上で隣り合う固体電解コンデンサ素子の陽極板２１の間に入り込み、さらに、第１封止層１１の一部に入り込んでいることが好ましい。
第２封止層１２が第１封止層１１の一部に入り込んでいると、第１封止層１１と第２封止層１２との密着性が向上するため、コンデンサアレイ１の信頼性が向上する。
【００２１】
図１に示すコンデンサアレイ１においては、第１封止層１１側に向かって、第２封止層１２が、第１封止層１１上で隣り合う全ての固体電解コンデンサ素子の陽極板２１の間に入り込み、さらに、第１封止層１１の一部に入り込んでいるが、第１封止層１１の一部に第２封止層１２が入り込んでいない箇所が存在していてもよい。また、第２封止層１２は、第１封止層１１に入り込んでいなくてもよい。
【００２２】
図１に示すように、第２主面Ｓ２側の陰極層２４が設けられていない誘電体層２３の表面には、陽極板２１と陰極層２４とを絶縁するための絶縁層３０が設けられていることが好ましい。図１では、第１主面Ｓ１側の誘電体層２３の表面に絶縁層３０が設けられているが、第１主面Ｓ１側の誘電体層２３の表面に絶縁層３０が設けられていなくてもよい。
【００２３】
図１には示されていないが、後述するように、第１封止層１１又は第２封止層１２の外側には、陽極板２１及び陰極層２４のそれぞれと接続された外部電極が設けられる。
【００２４】
陽極板又は陰極層と外部電極とが接続される形態は特に限定されないが、第１封止層又は第２封止層を厚み方向に貫通する貫通電極が設けられ、貫通電極を介して陽極板又は陰極層と外部電極とが接続されることが好ましい。貫通電極を介することにより、陽極板又は陰極層から外部電極までの引き出し距離を短くすることができる。
【００２５】
図１に示すコンデンサアレイ１では、固体電解コンデンサ素子１０Ａ及び１０Ｃの側面が露出しているが、例えば、第１封止層又は第２封止層で覆われていてもよいし、絶縁層で覆われていてもよい。また、固体電解コンデンサ素子と第１封止層又は第２封止層との間に、例えば、応力緩和層、防湿膜等が設けられていてもよい。
【００２６】
本発明のコンデンサアレイにおいて、第１封止層上で隣り合う固体電解コンデンサ素子の陽極板の間隔（図１中、Ｄ１０で示す長さ）は特に限定されないが、１５μｍ以上であることが好ましく、３０μｍ以上であることがより好ましく、５０μｍ以上であることがさらに好ましい。一方、第１封止層上で隣り合う固体電解コンデンサ素子の陽極板の間隔は、５００μｍ以下であることが好ましく、２００μｍ以下であることがより好ましく、１５０μｍ以下であることがさらに好ましい。
【００２７】
本発明のコンデンサアレイにおいて、第１封止層上に配置される固体電解コンデンサ素子の個数は、２個以上であれば特に限定されない。固体電解コンデンサ素子は、第１封止層上に直線状に配置されていてもよいし、平面状に配置されていてもよい。また、固体電解コンデンサ素子は、第１封止層上に規則的に配置されていてもよいし、不規則に配置されていてもよい。固体電解コンデンサ素子の大きさ、形状などは、同じでもよいし、一部又は全部が異なっていてもよい。
【００２８】
図２は、シート除去部の別の一例を模式的に示す拡大断面図である。
図２に示すシート除去部２５Ａは、固体電解コンデンサ素子１０Ａ及び１０Ｂの第２主面Ｓ２から第１主面Ｓ１に向かって幅が小さくなるテーパーを有している。シート除去部２５Ａのテーパーは、固体電解コンデンサ素子１０Ａ及び１０Ｂの第１主面Ｓ１側の多孔質層２２に達しておらず、陽極板２１にも達していない。
【００２９】
本発明のコンデンサアレイにおいて、シート除去部は、固体電解コンデンサ素子の一方の主面から他方の主面に向かって幅が小さくなるテーパーを有することが好ましい。シート除去部は、固体電解コンデンサ素子の第２主面から第１主面に向かって幅が小さくなるテーパーを有してもよいし、固体電解コンデンサ素子の第１主面から第２主面に向かって幅が小さくなるテーパーを有してもよい。
【００３０】
上記テーパーは、固体電解コンデンサ素子の陽極板に達していないことが好ましい。特に、多孔質層が陽極板の両方の主面に設けられている場合、上記テーパーは、固体電解コンデンサ素子の他方の主面側の多孔質層には達していないことが好ましい。固体電解コンデンサ素子の第２主面から第１主面に向かって幅が小さくなるテーパーを有する場合には、上記テーパーは、固体電解コンデンサ素子の第１主面側の多孔質層には達していないことが好ましい。一方、固体電解コンデンサ素子の第１主面から第２主面に向かって幅が小さくなるテーパーを有する場合には、上記テーパーは、固体電解コンデンサ素子の第２主面側の多孔質層には達していないことが好ましい。
【００３１】
本発明のコンデンサアレイにおいて、絶縁層は樹脂からなることが好ましい。絶縁層を構成する樹脂としては、例えば、ポリフェニルスルホン樹脂、ポリエーテルスルホン樹脂、シアン酸エステル樹脂、フッ素樹脂（テトラフルオロエチレン、テトラフルオロエチレン・パーフルオロアルキルビニルエーテル共重合体等）、ポリイミド樹脂、ポリアミドイミド樹脂、エポキシ樹脂、及び、それらの誘導体又は前駆体等の絶縁性樹脂が挙げられる。なお、絶縁層は、第１封止層及び第２封止層と同じ樹脂で構成されていてもよい。第１封止層及び第２封止層と異なり、絶縁層に無機フィラーが含まれると固体電解コンデンサ素子の有効部に悪影響を及ぼすおそれがあるため、絶縁層は樹脂単独の系からなることが好ましい。
【００３２】
本発明のコンデンサアレイにおいて、第１封止層及び第２封止層は、樹脂からなることが好ましい。第１封止層及び第２封止層を構成する樹脂としては、例えば、エポキシ樹脂、フェノール樹脂等が挙げられる。さらに、第１封止層及び第２封止層は、フィラーを含むことが好ましい。第１封止層及び第２封止層に含まれるフィラーとしては、例えば、シリカ粒子、アルミナ粒子、金属粒子等の無機フィラーが挙げられる。第１封止層を構成する樹脂は、第２封止層を構成する樹脂と同じでもよいし、異なっていてもよい。
【００３３】
第１封止層及び第２封止層は、それぞれ、１層のみから構成されていてもよいし、２層以上から構成されていてもよい。第１封止層を構成する層の数は、第２封止層を構成する層の数と同じでもよいし、異なっていてもよい。第１封止層又は第２封止層が２層以上から構成される場合、陽極板又は陰極層と外部電極との間に存在する各封止層を厚み方向に貫通する貫通電極が設けられるとともに、各封止層の間に内部電極が設けられ、貫通電極及び内部電極を介して陽極板又は陰極層と外部電極とが接続されてもよい。
【００３４】
本発明のコンデンサアレイにおいて、固体電解コンデンサ素子の陽極板は、いわゆる弁作用を示す弁作用金属からなる。弁作用金属としては、例えば、アルミニウム、タンタル、ニオブ、チタン、ジルコニウム等の金属単体、又は、これらの金属を含む合金等が挙げられる。これらの中では、アルミニウム又はアルミニウム合金が好ましい。
【００３５】
陽極板の形状は、平板状であることが好ましく、箔状であることがより好ましい。陽極板は、少なくとも一方の主面に多孔質層を有していればよく、両方の主面に多孔質層を有していてもよい。多孔質層は、陽極板の表面に形成されたエッチング層であることが好ましい。
【００３６】
エッチング処理前の陽極板の厚みは、６０μｍ以上、２００μｍ以下であることが好ましい。エッチング処理後にエッチングされていない芯部の厚みは、１５μｍ以上、７０μｍ以下であることが好ましい。多孔質層の厚みは要求される耐電圧、静電容量に合わせて設計されるが、芯部の両側の多孔質層を合わせて１０μｍ以上、１８０μｍ以下であることが好ましい。
【００３７】
本発明のコンデンサアレイにおいて、固体電解コンデンサ素子の誘電体層は、多孔質層の表面に設けられている。誘電体層は、多孔質層の表面に沿って形成されることにより細孔（凹部）が形成されている。誘電体層は、上記弁作用金属の酸化皮膜からなることが好ましい。例えば、陽極板としてアルミニウム箔が用いられる場合、アジピン酸アンモニウム等を含む水溶液中でアルミニウム箔の表面に対して陽極酸化処理（化成処理ともいう）を行うことにより、酸化皮膜からなる誘電体層を形成することができる。
【００３８】
誘電体層の厚みは要求される耐電圧、静電容量に合わせて設計されるが、１０ｎｍ以上、１００ｎｍ以下であることが好ましい。
【００３９】
本発明のコンデンサアレイにおいて、固体電解コンデンサ素子の陰極層は、誘電体層の表面に設けられている。陰極層は、誘電体層の表面に設けられた固体電解質層を含む。陰極層は、さらに、固体電解質層の表面に設けられた導電体層を含むことが好ましい。
【００４０】
固体電解質層を構成する材料としては、例えば、ポリピロール類、ポリチオフェン類、ポリアニリン類等の導電性高分子等が挙げられる。これらの中では、ポリチオフェン類が好ましく、ＰＥＤＯＴと呼ばれるポリ（３，４−エチレンジオキシチオフェン）が特に好ましい。また、上記導電性高分子は、ポリスチレンスルホン酸（ＰＳＳ）等のドーパントを含んでいてもよい。
【００４１】
固体電解質層は、例えば、３，４−エチレンジオキシチオフェン等のモノマーを含む処理液を用いて、誘電体層の表面にポリ（３，４−エチレンジオキシチオフェン）等の重合膜を形成する方法や、ポリ（３，４−エチレンジオキシチオフェン）等のポリマーの分散液を誘電体層の表面に塗布して乾燥させる方法等によって形成される。なお、誘電体層の細孔（凹部）を充填する内層を形成した後、誘電体層を被覆する外層を形成することにより、固体電解質層を形成することが好ましい。
【００４２】
固体電解質層は、上記の処理液又は分散液を、スポンジ転写、スクリーン印刷、ディスペンサ、インクジェット印刷等によって誘電体層上に塗布することにより、所定の領域に形成することができる。固体電解質層の厚みは、２μｍ以上、２０μｍ以下であることが好ましい。
【００４３】
導電体層は、導電性樹脂層及び金属層のうち、少なくとも１層を含む。導電体層は、導電性樹脂層のみでもよく、金属層のみでもよい。導電体層は、固体電解質層の全面を被覆することが好ましい。
【００４４】
導電性樹脂層としては、例えば、銀フィラー、銅フィラー、ニッケルフィラー及びカーボンフィラーからなる群より選択される少なくとも１種の導電性フィラーを含む導電性接着剤層等が挙げられる。
【００４５】
金属層としては、例えば、金属めっき膜、金属箔等が挙げられる。
金属層は、ニッケル、銅、銀及びこれらの金属を主成分とする合金からなる群より選択される少なくとも一種の金属からなることが好ましい。なお、「主成分」とは、元素の存在割合（重量％）が最も大きい元素成分をいう。
【００４６】
導電体層は、例えば、固体電解質層の表面に設けられたカーボン層と、カーボン層の表面に設けられた陰極引き出し層とを含む。
【００４７】
カーボン層は、固体電解質層と陰極引き出し層とを電気的に及び機械的に接続させるために設けられている。
【００４８】
カーボン層は、カーボンペーストをスポンジ転写、スクリーン印刷、ディスペンサ、インクジェット印刷等によって固体電解質層上に塗布することにより、所定の領域に形成することができる。なお、カーボン層は、乾燥前の粘性のある状態で、次工程の陰極引き出し層を積層することが好ましい。カーボン層の厚みは、２μｍ以上、２０μｍ以下であることが好ましい。
【００４９】
陰極引き出し層は、例えば、印刷電極層である。
印刷電極層は、電極ペーストをスポンジ転写、スクリーン印刷、スプレー塗布、ディスペンサ、インクジェット印刷等によってカーボン層上に印刷することにより形成することができる。電極ペーストとしては、銀、銅又はニッケルを主成分とする電極ペーストを用いることが好ましい。スクリーン印刷の場合、陰極引き出し層の厚みを２μｍ以上、２０μｍ以下にすることも可能である。
【００５０】
本発明のコンデンサアレイは、好ましくは、以下のように製造される。
【００５１】
本発明のコンデンサアレイの製造方法は、厚み方向に相対する第１主面及び第２主面を有する固体電解コンデンサシートを準備する工程と、固体電解コンデンサシートの第１主面側に、シート状の第１封止層を配置する工程と、固体電解コンデンサシートを第２主面側から厚み方向に切断することにより、第１封止層上に配置された複数の固体電解コンデンサ素子に分割する工程と、第１封止層上の複数の固体電解コンデンサ素子を第２主面側から覆うように、シート状の第２封止層を配置する工程とを備える。
【００５２】
複数の固体電解コンデンサ素子を個別に第１封止層上に配置する場合、隣り合う固体電解コンデンサ素子の間にはクリアランスを設ける必要がある。そのため、固体電解コンデンサ素子の個数が多くなるほど、クリアランスが占める割合が大きくなり、一方で、固体電解コンデンサ素子の有効部が占める割合は小さくなる。
これに対し、固体電解コンデンサシートの第１主面側に第１封止層を配置した状態で、固体電解コンデンサシートを第２主面側から切断して複数の固体電解コンデンサ素子に分割することにより、固体電解コンデンサ素子の有効部が占める割合の大きいコンデンサアレイを製造することができる。
【００５３】
以下、各工程の一例について説明する。
【００５４】
まず、図３Ａ、図３Ｂ、図４Ａ、図４Ｂ、図５、図６Ａ、図６Ｂ、図７Ａ、図７Ｂ、図８Ａ及び図８Ｂに示すように、固体電解コンデンサシートを準備する。
【００５５】
図３Ａは、化成箔を準備する工程の一例を模式的に示す斜視図であり、図３Ｂは、その断面図である。
少なくとも一方の主面に多孔質層２２が設けられ、多孔質層２２の表面に誘電体層２３が設けられた陽極板２１として、アルミニウム等の化成箔２０を準備する。化成箔２０に代えて、例えば、陽極板としてアルミニウム箔を準備し、アルミニウム箔の表面に対してエッチング処理を行うことにより多孔質層を形成した後、アジピン酸アンモニウム等を含む水溶液中で陽極酸化処理を行うことにより、酸化皮膜からなる誘電体層を形成してもよい。
【００５６】
図４Ａは、絶縁層を形成する工程の一例を模式的に示す斜視図であり、図４Ｂは、その断面図である。
固体電解コンデンサ素子の有効部を区分するため、誘電体層２３上に絶縁性樹脂を塗布することにより、絶縁層３０を形成する。絶縁性樹脂を塗布する方法は特に限定されず、例えば、ディスペンサ、スクリーン印刷等が挙げられる。図４Ａでは、縦３個×横２個の合計６個の固体電解コンデンサ素子が搭載される領域が１つのコンデンサアレイ単位となっている。
【００５７】
図５は、貫通孔を形成する工程の一例を模式的に示す斜視図である。
コンデンサアレイ単位の周囲の所定の位置に、絶縁層３０が形成された化成箔２０を厚み方向に貫通する貫通孔３１を形成する。
【００５８】
後述するように、貫通孔３１内には、貫通電極が形成される。この貫通電極は、陽極板と外部電極との接続、又は、陰極層と外部電極との接続に用いられる。貫通電極は、陽極板を挟むように形成された陰極層同士の接続に用いられてもよい。また、貫通電極は、上記以外の接続に用いられてもよい。［複合電子部品］で説明するように、本発明のコンデンサアレイは、電子部品が実装されることにより複合電子部品となる。複合電子部品においては、貫通孔３１内に形成される貫通電極を介して、コンデンサアレイの外部電極と電子部品とが厚み方向に接続されるか、又は、コンデンサアレイ以外の電子部品同士が厚み方向に接続される。
【００５９】
さらに、図５に示すように、固体電解コンデンサ素子とは異なる種類のコンデンサ素子を配置するための貫通孔３２を形成してもよい。
【００６０】
図６Ａは、固体電解質層を形成する工程の一例を模式的に示す斜視図であり、図６Ｂは、その断面図である。
誘電体層２３上に固体電解質層２４ａを形成する。例えば、３，４−エチレンジオキシチオフェン等のモノマーを含む処理液を用いて、誘電体層の表面にポリ（３，４−エチレンジオキシチオフェン）等の重合膜を形成する方法や、ポリ（３，４−エチレンジオキシチオフェン）等のポリマーの分散液を誘電体層の表面に塗布して乾燥させる方法等により、固体電解質層を形成することができる。なお、誘電体層の細孔を充填する内層を形成した後、誘電体層を被覆する外層を形成することにより、固体電解質層を形成することが好ましい。
【００６１】
図７Ａは、カーボン層を形成する工程の一例を模式的に示す斜視図であり、図７Ｂは、その断面図である。
固体電解質層２４ａ上にカーボン層２４ｂを形成する。例えば、カーボンフィラーを含む導電性接着ペーストを塗布及び乾燥させることにより、カーボン層を形成することができる。
【００６２】
図８Ａは、銅層を形成する工程の一例を模式的に示す斜視図であり、図８Ｂは、その断面図である。
カーボン層２４ｂ上に銅層２４ｃを形成する。その結果、固体電解質層２４ａとカーボン層２４ｂと銅層２４ｃとを含む陰極層２４が誘電体層２３上に形成される。例えば、銅フィラーを含む導電性接着ペーストを用いて銅層を形成してもよいし、銅めっき処理により銅層を形成してもよい。
【００６３】
以上により、陽極板２１と、陽極板２１の少なくとも一方の主面に設けられた多孔質層２２と、多孔質層２２の表面に設けられた誘電体層２３と、誘電体層２３の表面に設けられた陰極層２４とを備える固体電解コンデンサシート１００が得られる。図８Ｂに示すように、固体電解コンデンサシート１００は、厚み方向に相対する第１主面Ｓ１及び第２主面Ｓ２を有している。
【００６４】
次に、図９Ａ及び図９Ｂに示すように、固体電解コンデンサシートの第１主面側に、シート状の第１封止層を配置する。
【００６５】
図９Ａは、第１封止層を配置する工程の一例を模式的に示す斜視図であり、図９Ｂは、その断面図である。
固体電解コンデンサシート１００の第１主面Ｓ１側に、第１封止層１１を配置する。例えば、絶縁性樹脂からなるシートを固体電解コンデンサシートに貼り合わせる。貫通孔３１及び３２の一部には、第１封止層１１が入り込んでもよい。
【００６６】
続いて、図１０Ａ及び図１０Ｂに示すように、固体電解コンデンサシートを第２主面側から厚み方向に切断することにより、第１封止層上に配置された複数の固体電解コンデンサ素子に分割する。切断方法としては、例えば、レーザー加工、ダイシング加工等が挙げられる。
【００６７】
図１０Ａは、固体電解コンデンサシートを切断する工程の一例を模式的に示す斜視図であり、図１０Ｂは、その断面図である。
第１主面Ｓ１側の第１封止層１１を支持体として、固体電解コンデンサシート１００を第２主面Ｓ２側から厚み方向に切断する。この際、第１封止層１１の一部も切断されることが好ましい。これにより、固体電解コンデンサシート１００は、第１封止層１１上に配置されたまま、スリット状のシート除去部２５によって固体電解コンデンサ素子１０Ａ、１０Ｂ、１０Ｃ、１０Ｄ、１０Ｅ及び１０Ｆに分割される。厳密に言うと、図１０Ａに示すように、コンデンサアレイ単位が隣接する部分では固体電解コンデンサ素子に分割されていないが、１つのコンデンサアレイ単位では、固体電解コンデンサ素子１０Ａ、１０Ｂ、１０Ｃ、１０Ｄ、１０Ｅ及び１０Ｆに分割されていると考えることができる。
【００６８】
シート除去部の幅は特に限定されないが、１５μｍ以上であることが好ましく、３０μｍ以上であることがより好ましく、５０μｍ以上であることがさらに好ましい。一方、第１封止層上で隣り合う固体電解コンデンサ素子の陽極板の間隔は、５００μｍ以下であることが好ましく、２００μｍ以下であることがより好ましく、１５０μｍ以下であることがさらに好ましい。
【００６９】
シート除去部の長さ／幅の比率であるアスペクト比は、１０以上であることが好ましく、１００以上であることがより好ましい。一方、シート除去部のアスペクト比は、１０００以下であることが好ましい。
【００７０】
図１１は、固体電解コンデンサ素子とは異なる種類のコンデンサ素子を配置する工程の一例を模式的に示す斜視図である。
図１１に示すように、貫通孔３２を形成した空間に、固体電解コンデンサ素子と異なる種類のコンデンサ素子１１０を配置してもよい。固体電解コンデンサ素子とは異なる種類のコンデンサ素子としては、例えば、積層セラミックコンデンサ、シリコンキャパシタ等が挙げられる。
【００７１】
そして、図１２Ａ及び図１２Ｂに示すように、第１封止層上の複数の固体電解コンデンサ素子を第２主面側から覆うように、シート状の第２封止層を配置する。
【００７２】
図１２Ａは、第２封止層を配置する工程の一例を模式的に示す斜視図であり、図１２Ｂは、その断面図である。
複数の固体電解コンデンサ素子１０Ａ、１０Ｂ、１０Ｃ、１０Ｄ、１０Ｅ及び１０Ｆを第２主面Ｓ２側から覆うように、第２封止層１２を配置する。例えば、絶縁性樹脂からなるシートを固体電解コンデンサ素子に貼り合わせる。この際、第１主面Ｓ１側に向かって、第２封止層１２は、第１封止層１１上で隣り合う固体電解コンデンサ素子の陽極板２１の間に入り込み、さらに、第１封止層１１の一部に入り込む。
【００７３】
図１３Ａは、複数のコンデンサアレイに分割する工程の一例を模式的に示す斜視図であり、図１３Ｂは、その断面図である。
図１３Ａ及び図１３Ｂに示すように、コンデンサアレイ単位ごとに切断することにより、１つのアレイの中に複数の固体電解コンデンサ素子１０Ａ、１０Ｂ、１０Ｃ、１０Ｄ、１０Ｅ及び１０Ｆが搭載されたコンデンサアレイ１が得られる。
【００７４】
上述の方法では、大判の化成箔を用いて複数のコンデンサアレイに分割しているが、１つ分のコンデンサアレイが得られる大きさの化成箔を用いて、コンデンサアレイに分割する工程を行わなくてもよい。
【００７５】
本発明のコンデンサアレイの製造方法においては、上述の方法のように、固体電解コンデンサシートを切断した後、第２封止層を配置することが好ましい。しかし、第２封止層の一部を配置し、第２封止層とともに固体電解コンデンサシートを切断した後、残りの第２封止層を第２主面側に配置してもよい。
【００７６】
以上により、本発明のコンデンサアレイを製造することができる。
【００７７】
以上のようにコンデンサアレイを作製した後、コンデンサアレイの第１封止層又は第２封止層の外側に、コンデンサアレイの陽極板及び陰極層のそれぞれと接続される外部電極を形成することが好ましい。例えば、銅箔を貼り付けた後にエッチング処理を行うことにより、所望のパターンを有する外部電極を形成することができる。以下、陽極板と接続される外部電極を陽極外部電極、陰極層と接続される外部電極を陰極外部電極ともいう。
【００７８】
図１４は、陽極外部電極を形成する工程の一例を模式的に示す斜視図である。
図１４では、第２封止層１２の外側に、各陽極板２１に対して陽極外部電極４１Ａ、４１Ｂ、４１Ｃ、４１Ｄ、４１Ｅ及び４１Ｆが形成されている。図１４に示すように、固体電解コンデンサ素子１０Ｂとコンデンサ素子１１０とを並列で接続するように陽極外部電極４１Ｂが形成されてもよい。
【００７９】
図１５は、陰極外部電極を形成する工程の一例を模式的に示す斜視図である。
図１５では、第２封止層１２の外側に、陰極外部電極４２Ａ、４２Ｂ、４２Ｃ及び４２Ｄが形成されている。陰極外部電極４２Ａは、固体電解コンデンサ素子１０Ａ及び１０Ｂの陰極層２４と共通で接続され、陰極外部電極４２Ｃは、固体電解コンデンサ素子１０Ｄ及び１０Ｅの陰極層２４と共通で接続される。なお、各陰極層に対して陰極外部電極が形成されてもよい。
【００８０】
図１６は、陰極外部電極を形成する工程の別の一例を模式的に示す斜視図である。
図１６では、第２封止層１２の外側に、陰極外部電極４２Ａ及び４２Ｂが形成されている。陰極外部電極４２Ａは、固体電解コンデンサ素子１０Ａ、１０Ｂ、１０Ｄ及び１０Ｅの陰極層２４と共通で接続され、陰極外部電極４２Ｂは、固体電解コンデンサ素子１０Ｃ及び１０Ｆの陰極層２４と共通で接続される。
【００８１】
図示されていないが、第２封止層（あるいは第１封止層）を厚み方向に貫通する貫通電極を形成し、貫通電極を介して、陽極板と陽極外部電極とを接続し、陰極層と陰極外部電極とを接続することが好ましい。貫通電極を形成する方法は特に限定されないが、例えば、陽極外部電極及び陰極外部電極を形成した後、レーザービア加工を行う方法等が挙げられる。また、第１封止層又は第２封止層を配置する前に貫通電極を形成してもよいし、第１封止層又は第２封止層を配置した後、陽極外部電極及び陰極外部電極を形成する前に貫通電極を形成してもよい。
【００８２】
図１７は、貫通孔の機能を説明するための図１５の透過図である。図１８は、貫通孔の機能を説明するための図１６の透過図である。
図１７及び図１８において、貫通孔３１Ｘは、陽極板と外部電極との接続に用いられ、貫通孔３１Ｙは、陰極層と外部電極との接続に用いられる。また、貫通孔３１Ｚは、コンデンサ以外の接続に用いられる。
【００８３】
なお、陽極外部電極及び陰極外部電極は、同時に形成してもよいし、それぞれ個別に形成してもよい。
【００８４】
以下、陽極及び陰極の構造の変形例について、図面を参照しながら説明する。以下の図面においては、特徴的な構成のみを示しており、誘電体層、固体電解質層、絶縁層等の構成は省略している。
【００８５】
図１９Ａは、陽極及び陰極の構造の第１の変形例を第２封止層側から見た投影平面図であり、図１９Ｂは、図１９Ａのｂ−ｂ線に沿った投影断面図である。
【００８６】
図１９Ａ及び図１９Ｂに示すコンデンサアレイ１Ａは、ライン導体５０と、第１封止層１１及び第２封止層１２を厚み方向に貫通する陽極貫通電極５１と、第２封止層１２を厚み方向に貫通する陽極ビア導体５２と、第２封止層１２の外側に設けられた陽極配線パターン５３と、第１封止層１１の外側に設けられた陽極配線パターン５４とを備える。図１９Ａ及び図１９Ｂに示すコンデンサアレイ１Ａでは、多孔質層２２の一部がライン状に除去されており、その除去部分にライン導体５０が設けられている。そして、ライン導体５０の直上に陽極ビア導体５２が設けられており、陽極ビア導体５２の直上に陽極配線パターン５３が設けられている。ライン導体５０、陽極ビア導体５２、及び、陽極配線パターン５３を介して、陽極板２１が陽極貫通電極５１と電気的に接続されている。
【００８７】
図１９Ａ及び図１９Ｂに示すコンデンサアレイ１Ａは、さらに、第１封止層１１及び第２封止層１２を厚み方向に貫通する陰極貫通電極６１と、第２封止層１２を厚み方向に貫通する陰極ビア導体６２と、第２封止層１２の外側に設けられた陰極配線パターン６３と、第１封止層１１の外側に設けられた陰極配線パターン６４とを備える。陰極層２４の直上に陰極ビア導体６２が設けられており、陰極ビア導体６２の直上に陰極配線パターン６３が設けられている。陰極ビア導体６２、及び、陰極配線パターン６３を介して、陰極層２４が陰極貫通電極６１と電気的に接続されている。
【００８８】
図１９Ａに示すように、陽極Ｘと陰極Ｙとは、ライン状に互い違いに配置されることが好ましい。
【００８９】
図２０Ａは、陽極及び陰極の構造の第２の変形例を第２封止層側から見た投影平面図であり、図２０Ｂは、図２０Ａのｂ−ｂ線に沿った投影断面図である。
【００９０】
図２０Ａ及び図２０Ｂに示すコンデンサアレイ１Ｂは、ライン導体５０が陽極貫通電極５１と同じライン上に位置していることを除いて、図１９Ａ及び図１９Ｂに示すコンデンサアレイ１Ａと同様の構成を有している。図２０Ａでは、陽極配線パターン５３を省略しており、図２０Ｂでは、陽極ビア導体５２を省略している。
【００９１】
図２０Ａに示すように、陽極Ｘと陰極Ｙとは、ライン状に互い違いに配置されることが好ましい。
【００９２】
図２１Ａは、陽極及び陰極の構造の第３の変形例を第２封止層側から見た投影平面図であり、図２１Ｂは、図２１Ａのｂ−ｂ線に沿った投影断面図である。
【００９３】
図２１Ａ及び図２１Ｂに示すコンデンサアレイ１Ｃは、ライン導体５０の代わりにビア導体５０Ａを備えることを除いて、図１９Ａ及び図１９Ｂに示すコンデンサアレイ１Ａと同様の構成を有している。図２１Ａ及び図２１Ｂに示すコンデンサアレイ１Ｃでは、多孔質層２２の一部に開口が形成されており、その開口にビア導体５０Ａが設けられている。図２１Ａ及び図２１Ｂに示すコンデンサアレイ１Ｃでは、図１９Ａ及び図１９Ｂに示すコンデンサアレイ１Ａと比べて、省スペース化が可能である。
【００９４】
図２１Ａに示すように、陽極Ｘと陰極Ｙとは、ライン状に互い違いに配置されることが好ましい。
【００９５】
図２２Ａは、陽極及び陰極の構造の第４の変形例を第２封止層側から見た投影平面図であり、図２２Ｂは、図２２Ａのｂ−ｂ線に沿った投影断面図である。
【００９６】
図２２Ａ及び図２２Ｂに示すコンデンサアレイ１Ｄでは、陽極板２１は、陽極貫通電極５１の壁面で直接接続されている。そのため、図２２Ａ及び図２２Ｂに示すコンデンサアレイ１Ｄでは、省スペース化が可能である。
【００９７】
図２２Ａに示すように、陽極Ｘと陰極Ｙとは、千鳥格子状に配置されることが好ましい。
【００９８】
以上のように、本発明のコンデンサアレイにおいては、第１封止層側又は第２封止層側から見たとき、陽極と陰極とをライン状に互い違いに配置すること、あるいは、千鳥格子状に配置することが可能である。
【００９９】
また、本発明のコンデンサアレイにおいては、陽極の引き出しについて、主面方向及び端面方向のいずれから陽極貫通電極に接続してもよい。
【０１００】
上述したように、本発明のコンデンサアレイを製造する際、固体電解コンデンサシートを切断する方法としては、レーザー加工、ダイシング加工等が挙げられる。中でも、レーザー加工を用いて固体電解コンデンサシートを切断することにより、固体電解コンデンサ素子を自由な形状に形成することができる。そのため、１つのコンデンサアレイの中に容量部の面積が異なる２種以上の固体電解コンデンサ素子を配置すること、コンデンサアレイ全体に掛からないようにシート除去部を配置すること、容量部の平面形状が矩形ではない固体電解コンデンサ素子を配置すること、等が可能になる。
【０１０１】
図２３は、固体電解コンデンサシートを切断する工程の別の一例を模式的に示す斜視図である。
図２３では、分割される固体電解コンデンサ素子の形状が図１０Ａと異なる。図２３に示す例では、シート除去部２５によって、容量部の面積が異なる３種の固体電解コンデンサ素子１０Ａ、１０Ｂ及び１０Ｃに分割されている。図２３では、固体電解コンデンサ素子１０Ａ及び１０Ｂを区画するシート除去部２５の延伸上に固体電解コンデンサ素子１０Ｃが配置されている。
【０１０２】
このように、本発明のコンデンサアレイにおいて、シート除去部の少なくとも一部は、コンデンサアレイ全体に掛からないように配置されていてもよい。
【０１０３】
本発明のコンデンサアレイにおいては、シート除去部の延伸上に少なくとも１つの固体電解コンデンサ素子が配置されていてもよい。
【０１０４】
本発明のコンデンサアレイにおいては、容量部の面積が異なる２種以上の固体電解コンデンサ素子が含まれていてもよい。
【０１０５】
本発明のコンデンサアレイにおいては、容量部の平面形状が矩形ではない固体電解コンデンサ素子が含まれていてもよい。本明細書において、「矩形」とは、正方形又は長方形を意味する。したがって、本発明のコンデンサアレイにおいては、例えば、容量部の平面形状が、矩形以外の四角形、三角形、五角形、六角形等の多角形や、曲線部を含む形状、円形、楕円形等の固体電解コンデンサ素子が含まれていてもよい。この場合、容量部の平面形状が異なる２種以上の固体電解コンデンサ素子が含まれていてもよい。また、容量部の平面形状が矩形ではない固体電解コンデンサ素子に加えて、容量部の平面形状が矩形である固体電解コンデンサ素子が含まれていてもよいし、含まれていなくてもよい。
【０１０６】
図２４は、平面形状が矩形ではない容量部の一例を模式的に示す平面図である。
図２４に示す容量部７０は、外形が非矩形であり、かつ、内部に貫通孔７１が形成されている。貫通孔７１の内側には、上述の貫通電極を形成することが可能である。図２４では、容量部７０の外壁面及び内壁面に絶縁部７２が設けられている。
【０１０７】
上述したように、本発明のコンデンサアレイは、固体電解コンデンサ素子と第１封止層又は第２封止層との間に、応力緩和層をさらに備えてもよい。この場合、応力緩和層は、固体電解コンデンサ素子と第１封止層との間、及び、固体電解コンデンサ素子と第２封止層との間のうち、少なくとも一方に設けられていればよい。
【０１０８】
本発明のコンデンサアレイが応力緩和層を備える場合、応力緩和層は、シート除去部内にも設けられていてもよい。言い換えると、応力緩和層は、隣り合う固体電解コンデンサ素子間にも設けられていてもよい。
【０１０９】
上記の箇所に応力緩和層を設けることにより、固体電解コンデンサ素子の最外部に配置される導体部及び絶縁部の各々に必要な能力（抵抗、ブロック性能など）や封止層に必要な能力（配線と密着しやすい、平滑に形成されやすいなど）を損なうことなく、コンデンサアレイの内部と外部との間に発生する応力を緩和することができる。特に、面内のレイアウトが異なる場合（例えば、固体電解コンデンサ素子の形状が主面内、あるいは他方主面と非対称である場合）などに、一部分だけ熱特性が異なるように応力緩和層を設けることにより、面方向の応力を緩和することもできる。
【０１１０】
図２５は、応力緩和層を備えるコンデンサアレイの一例を模式的に示す断面図である。図２６は、図２５に示すコンデンサアレイを製造するための固体電解コンデンサシートの一例を模式的に示す斜視図である。図２６では、便宜的に、１個分のコンデンサアレイのみに応力緩和層が設けられている。また、図２５は、図２６に示す固体電解コンデンサシートの矢印に沿った断面に対応している。
【０１１１】
図２５に示すコンデンサアレイ１Ｅは、固体電解コンデンサ素子１０Ａ、１０Ｂ、１０Ｃと第１封止層１１との間、及び、固体電解コンデンサ素子１０Ａ、１０Ｂ、１０Ｃと第２封止層１２との間に、応力緩和層１３を備えている。図２５に示すコンデンサアレイ１Ｅでは、絶縁層３０の全体を覆うように応力緩和層１３が設けられている。さらに、応力緩和層１３は、シート除去部２５内に充填されている。
【０１１２】
図２６には示されていないが、応力緩和層１３は、固体電解コンデンサ素子１０Ｄ、１０Ｅ、１０Ｆと第１封止層１１との間にも設けられる。また、図２６に示す状態から第２封止層１２を配置することにより、応力緩和層１３は、固体電解コンデンサ素子１０Ｄ、１０Ｅ、１０Ｆと第２封止層１２との間にも設けられる。図２６に示す貫通孔３１には、応力緩和層１３が充填されていてもよいし、充填されていなくてもよい。
【０１１３】
図２７は、応力緩和層を備えるコンデンサアレイの別の一例を模式的に示す断面図である。図２８は、図２７に示すコンデンサアレイを製造するための固体電解コンデンサシートの一例を模式的に示す斜視図である。図２８では、便宜的に、１個分のコンデンサアレイのみに応力緩和層が設けられている。また、図２７は、図２８に示す固体電解コンデンサシートの矢印に沿った断面に対応している。
【０１１４】
図２７に示すコンデンサアレイ１Ｆは、固体電解コンデンサ素子１０Ａ、１０Ｂ、１０Ｃと第１封止層１１との間、及び、固体電解コンデンサ素子１０Ａ、１０Ｂ、１０Ｃと第２封止層１２との間に、応力緩和層１３を備えている。図２７に示すコンデンサアレイ１Ｆでは、絶縁層３０の全体だけでなく、固体電解コンデンサ素子１０Ａ、１０Ｂ、１０Ｃの全体を覆うように応力緩和層１３が設けられている。さらに、応力緩和層１３は、シート除去部２５内に充填されている。
【０１１５】
図２８には示されていないが、応力緩和層１３は、固体電解コンデンサ素子１０Ｄ、１０Ｅ、１０Ｆと第１封止層１１との間にも設けられる。また、図２８に示す状態から第２封止層１２を配置することにより、応力緩和層１３は、固体電解コンデンサ素子１０Ｄ、１０Ｅ、１０Ｆと第２封止層１２との間にも設けられる。図２８に示す貫通孔３１には、応力緩和層１３が充填されていてもよいし、充填されていなくてもよい。
【０１１６】
図２９は、応力緩和層を備えるコンデンサアレイのさらに別の一例を模式的に示す断面図である。図３０は、図２９に示すコンデンサアレイを製造するための固体電解コンデンサシートの一例を模式的に示す斜視図である。図３０では、便宜的に、１個分のコンデンサアレイのみに応力緩和層が設けられている。また、図２９は、図３０に示す固体電解コンデンサシートの矢印に沿った断面に対応している。
【０１１７】
図２９では、コンデンサアレイ１Ｇの一部分のみに応力緩和層１３が設けられている。図２９に示すコンデンサアレイ１Ｇは、固体電解コンデンサ素子１０Ｂ、１０Ｃと第１封止層１１との間、及び、固体電解コンデンサ素子１０Ａ、１０Ｃと第２封止層１２との間に、応力緩和層１３を備えている。さらに、応力緩和層１３は、シート除去部２５内に充填されている。
【０１１８】
図３０には示されていないが、応力緩和層１３は、固体電解コンデンサ素子１０Ｄ、１０Ｅ及び１０Ｆの少なくとも１つと第１封止層１１との間に設けられていてもよいし、設けられていなくてもよい。また、応力緩和層１３は、固体電解コンデンサ素子１０Ｄ、１０Ｅ及び１０Ｆの少なくとも１つと第２封止層１２との間に設けられていてもよいし、設けられていなくてもよい。図３０に示す貫通孔３１には、応力緩和層１３が充填されていてもよいし、充填されていなくてもよい。
【０１１９】
例えば、固体電解コンデンサ素子の形状が主面内、あるいは他方主面と非対称である場合、図２９に示すコンデンサアレイ１Ｇのように、コンデンサアレイの一部分のみに応力緩和層１３を設けることにより、コンデンサアレイ全体の熱応力のバランスをとることができる。
【０１２０】
本発明のコンデンサアレイにおいて、応力緩和層は、絶縁性樹脂から構成されることが好ましい。応力緩和層を構成する絶縁性樹脂としては、例えば、エポキシ樹脂、フェノール樹脂、シリコーン樹脂等が挙げられる。さらに、応力緩和層は、フィラーを含むことが好ましい。応力緩和層に含まれるフィラーとしては、例えば、シリカ粒子、アルミナ粒子、金属粒子等の無機フィラーが挙げられる。応力緩和層を構成する絶縁性樹脂は、第１封止層及び第２封止層を構成する樹脂と異なることが好ましい。
【０１２１】
第１封止層及び第２封止層には、外装体として外部電極との密着性などの特性が要求されるため、一概に固体電解コンデンサ素子と線膨張係数を合わせることや任意の弾性率の樹脂を選択することは難しい。これに対し、応力緩和層を設けることにより、固体電解コンデンサ素子、第１封止層、第２封止層のそれぞれの機能を失うことなく熱応力設計の調整を行うことができる。
【０１２２】
応力緩和層は、第１封止層及び第２封止層の少なくとも一方よりも透湿性が低いことが好ましい。この場合、応力の調整に加えて、固体電解コンデンサ素子への水分の浸入を低減することができる。応力緩和層の透湿性は、応力緩和層を構成する絶縁性樹脂の種類、応力緩和層に含まれるフィラーの量などによって調整することができる。
【０１２３】
本発明のコンデンサアレイにおいて、固体電解コンデンサ素子と第１封止層との間に応力緩和層が設けられる場合、少なくとも１つの固体電解コンデンサ素子と第１封止層との間に応力緩和層が設けられていればよい。応力緩和層は、固体電解コンデンサ素子と第１封止層との間の全体に設けられていなくてもよく、固体電解コンデンサ素子と第１封止層との間に応力緩和層が設けられていない箇所が存在していてもよい。
【０１２４】
本発明のコンデンサアレイにおいて、固体電解コンデンサ素子と第２封止層との間に応力緩和層が設けられる場合、少なくとも１つの固体電解コンデンサ素子と第２封止層との間に応力緩和層が設けられていればよい。応力緩和層は、固体電解コンデンサ素子と第２封止層との間の全体に設けられていなくてもよく、固体電解コンデンサ素子と第２封止層との間に応力緩和層が設けられていない箇所が存在していてもよい。
【０１２５】
本発明のコンデンサアレイにおいて、固体電解コンデンサ素子と第１封止層との間、及び、固体電解コンデンサ素子と第２封止層との間に応力緩和層が設けられる場合、少なくとも１つの固体電解コンデンサ素子と第１封止層との間、及び、少なくとも１つの固体電解コンデンサ素子と第２封止層との間に応力緩和層が設けられていればよい。第１封止層側のみに応力緩和層が設けられる固体電解コンデンサ素子があってもよいし、第２封止層側のみに応力緩和層が設けられる固体電解コンデンサ素子があってもよいし、第１封止層側及び第２封止層側の両方に応力緩和層が設けられる固体電解コンデンサ素子があってもよい。応力緩和層は、固体電解コンデンサ素子と第１封止層又は第２封止層との間の全体に設けられていなくてもよく、固体電解コンデンサ素子と第１封止層又は第２封止層との間に応力緩和層が設けられていない箇所が存在していてもよい。
【０１２６】
本発明のコンデンサアレイにおいて、シート除去部内に応力緩和層が設けられる場合、少なくとも１つのシート除去部内に応力緩和層が設けられていればよい。応力緩和層は、シート除去部内に充填されることが好ましい。さらに、応力緩和層は、第１封止層の一部に入り込んでいることが好ましい。
【０１２７】
［複合電子部品］
本発明の複合電子部品は、本発明のコンデンサアレイと、上記コンデンサアレイの第１封止層又は第２封止層の外側に設けられ、上記コンデンサアレイの陽極板及び陰極層のそれぞれと接続された外部電極と、上記外部電極と接続された電子部品とを備えている。
【０１２８】
本発明の複合電子部品において、外部電極と接続される電子部品としては、受動素子でもよいし、能動素子でもよい。受動素子及び能動素子の両方が外部電極と接続されてもよいし、受動素子及び能動素子のいずれか一方が外部電極と接続されてもよい。また、受動素子及び能動素子の複合体が外部電極と接続されてもよい。
【０１２９】
受動素子としては、例えば、インダクタ等が挙げられる。能動素子としては、メモリ、ＧＰＵ（Ｇｒａｐｈｉｃａｌ  Ｐｒｏｃｅｓｓｉｎｇ  Ｕｎｉｔ）、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＰＭＩＣ（Ｐｏｗｅｒ  Ｍａｎｅｇｅｍｅｎｔ  ＩＣ）等が挙げられる。
【０１３０】
これまで説明してきたように、本発明のコンデンサアレイは、全体としてシート状の形状を有している。したがって、本発明の複合電子部品においては、コンデンサアレイを実装基板のように扱うことができ、コンデンサアレイ上に電子部品を実装することができる。さらに、コンデンサアレイに実装する電子部品の形状をシート状にすることにより、各電子部品を厚み方向に貫通する貫通電極を介して、コンデンサアレイと電子部品とを厚み方向に接続することも可能である。その結果、能動素子及び受動素子を一括のモジュールのように構成することができる。
【０１３１】
例えば、半導体アクティブ素子を含むボルテージレギュレータと、変換された直流電圧が供給される負荷との間に本発明のコンデンサアレイを電気的に接続し、スイッチングレギュレータを形成することができる。
【０１３２】
本発明の複合電子部品においては、本発明のコンデンサアレイがさらに複数個レイアウトされたコンデンサマトリクスシートのいずれかの一方の面に回路層を形成した上で、受動素子又は能動素子に接続されていてもよい。
【０１３３】
また、予め基板に設けたキャビティ部に本発明のコンデンサアレイを配置し、樹脂で埋め込んだ後、その樹脂上に回路層を形成してもよい。同基板の別のキャビティ部には、別の受動部品や能動部品が搭載されていてもよい。
【０１３４】
あるいは、本発明のコンデンサアレイをウエハやガラスなどの平滑なキャリアの上に実装し、樹脂による外層部を形成した後、回路層を形成した上で、受動素子又は能動素子に接続されていてもよい。
【符号の説明】
【０１３５】
１，１Ａ，１Ｂ，１Ｃ，１Ｄ，１Ｅ，１Ｆ，１Ｇ  コンデンサアレイ
１０Ａ，１０Ｂ，１０Ｃ，１０Ｄ，１０Ｅ，１０Ｆ  固体電解コンデンサ素子
１１  第１封止層
１２  第２封止層
１３  応力緩和層
２０  化成箔
２１  陽極板
２２  多孔質層
２３  誘電体層
２４  陰極層
２４ａ  固体電解質層
２４ｂ  カーボン層
２４ｃ  銅層
２５，２５Ａ  シート除去部
３０  絶縁層
３１，３１Ｘ，３１Ｙ，３１Ｚ，３２  貫通孔
４１Ａ，４１Ｂ，４１Ｃ，４１Ｄ，４１Ｅ，４１Ｆ  陽極外部電極
４２Ａ，４２Ｂ，４２Ｃ，４２Ｄ  陰極外部電極
５０  ライン導体
５０Ａ  ビア導体
５１  陽極貫通電極
５２  陽極ビア導体
５３，５４  陽極配線パターン
６１  陰極貫通電極
６２  陰極ビア導体
６３，６４  陰極配線パターン
７０  容量部
７１  貫通孔
７２  絶縁部
１００  固体電解コンデンサシート
１１０  固体電解コンデンサ素子とは異なる種類のコンデンサ素子
Ｓ１  第１主面
Ｓ２  第２主面
Ｄ１０  陽極板の間隔
Ｘ  陽極
Ｙ  陰極
【図１】
2020167361.tif 000003
【図２】
2020167361.tif 000004
【図３】
2020167361.tif 000005
【図４】
2020167361.tif 000006
【図５】
2020167361.tif 000007
【図６】
2020167361.tif 000008
【図７】
2020167361.tif 000009
【図８】
2020167361.tif 000010
【図９】
2020167361.tif 000011
【図１０】
2020167361.tif 000012
【図１１】
2020167361.tif 000013
【図１２】
2020167361.tif 000014
【図１３】
2020167361.tif 000015
【図１４】
2020167361.tif 000016
【図１５】
2020167361.tif 000017
【図１６】
2020167361.tif 000018
【図１７】
2020167361.tif 000019
【図１８】
2020167361.tif 000020
【図１９】
2020167361.tif 000021
【図２０】
2020167361.tif 000022
【図２１】
2020167361.tif 000023
【図２２】
2020167361.tif 000024
【図２３】
2020167361.tif 000025
【図２４】
2020167361.tif 000026
【図２５】
2020167361.tif 000027
【図２６】
2020167361.tif 000028
【図２７】
2020167361.tif 000029
【図２８】
2020167361.tif 000030
【図２９】
2020167361.tif 000031
【図３０】
2020167361.tif 000032